(57)【要約】【課題】利用者の活動パターンに合わせてライフログデータを正確に記録すること。【解決手段】モーションセンサ検知に基づいて利用者１０の生ライフログデータを記録するライフログ端末２０と、該生ライフログデータを管理するためのＰＣ管理ソフトウェアがインストールされたコンピュータ３０と、該生ライフログデータ及びライフログ集計管理データを分析管理するサーバ管理ソフトウェアがインストールされたサーバ５０とを備え、サーバ管理ソフトウェアが修正した修正ライフログデータ及び生ライフログデータに基づいて利用者１０の行動パターンを学習し、該学習した行動パターンにより修正した修正ライフログデータをコンピュータ３０にダウンロードし、これら処理を繰り返すライフログ記録システム。【選択図】図１
2015043173.tif 000002
【特許請求の範囲】
【請求項１】
モーションセンサのセンサ検知に基づいて利用者の複数の行動ログから成る生ライフログデータを記録するライフログ端末と、該ライフログ端末と接続され、該ライフログ端末に記録された生ライフログデータを読み取って管理するためのＰＣ管理ソフトウェアがインストールされた利用者コンピュータと、該利用者コンピュータとネットワークを介して接続され、該利用者コンピュータに記録された生ライフログデータ及びライフログ集計管理データを読み込み、該生ライフログデータ及びライフログ集計管理データを分析管理するサーバ管理ソフトウェアがインストールされたサーバと、該サーバが分析管理した利用者の行動パターンを格納する行動パターンデータベースとを備えるライフログ記録システムであって、
前記ライフログ端末が生ライフログデータをライフログ端末に記録する第１工程と、
該第１工程により記録した生ライフログデータを利用者コンピュータに転送する第２工程と、
該第２工程により転送された生ライフログデータを利用者コンピュータを用いて修正した修正ライフログデータ及び生ライフログデータをサーバにアップロードする第３工程と、
該第３工程によりアップロードされた修正ライフログデータ及び生ライフログデータをサーバ管理ソフトウェアが解析し、利用者の活動パターンを学習する第４工程と、
該第４工程により学習した活動パターンを用いて生ライフログデータを修正した修正ライフログデータを生成する第５工程と、
該第５工程により修正した修正ライフログデータを利用者コンピュータにダウンロードする第６工程とを実行することを特徴とするライフログ記録システム。
【請求項２】
前記第６工程により利用者コンピュータにダウンロードした修正ライフログデータを利用者が利用者コンピュータを用いて再修正したとき、該再修正した再修正ライフログデータをサーバにアップロードして前記第４工程を実行することを特徴とする請求項１記載のライフログ記録システム。
【請求項３】
前記第４工程により解析した学習パターンを、時刻帯と行動ログの組み合わせに基づいて学習することを特徴とする請求項１又は２記載のライフログ記録システム。
【請求項４】
モーションセンサのセンサ検知に基づいて利用者の複数の行動ログから成る生ライフログデータを記録するライフログ端末と、該ライフログ端末と接続され、該ライフログ端末に記録された生ライフログデータを読み取って管理するためのＰＣ管理ソフトウェアがインストールされた利用者コンピュータと、該利用者コンピュータとネットワークを介して接続され、該利用者コンピュータに記録された生ライフログデータ及びライフログ集計管理データを読み込み、該生ライフログデータ及びライフログ集計管理データを分析管理するサーバ管理ソフトウェアがインストールされたサーバと、該サーバが分析管理した利用者の行動パターンを格納する行動パターンデータベースとを備えるコンピュータシステムによるライフログ記録方法であって、
前記ライフログ端末が生ライフログデータをライフログ端末に記録する第１工程と、
該第１工程により記録した生ライフログデータを利用者コンピュータに転送する第２工程と、
該第２工程により転送された生ライフログデータを利用者コンピュータを用いて修正した修正ライフログデータ及び生ライフログデータをサーバにアップロードする第３工程と、
該第３工程によりアップロードされた修正ライフログデータ及び生ライフログデータをサーバ管理ソフトウェアが解析し、利用者の活動パターンを学習する第４工程と、
該第４工程により学習した活動パターンを用いて生ライフログデータを修正した修正ライフログデータを生成する第５工程と、
該第５工程により修正した修正ライフログデータを利用者コンピュータにダウンロードする第６工程とを実行することを特徴とするライフログ記録方法。
【請求項５】
前記第６工程により利用者コンピュータにダウンロードした修正ライフログデータを利用者が利用者コンピュータを用いて再修正したとき、該再修正した再修正ライフログデータをサーバにアップロードして前記第４工程を実行することを特徴とする請求項４記載のライフログ記録方法。
【請求項６】
前記第４工程により解析した学習パターンを、時刻帯と行動ログの組み合わせに基づいて学習することを特徴とする請求項４又は５記載のライフログ記録方法。
【発明の詳細な説明】
【技術分野】
【０００１】
本発明は、人体の活動を検知するライフログ端末を使用して人体のライフログの記録を行うライフログ記録システム及びライフログ記録方法に係り、特に、ライフログ記録を利用者の活動パターンに合わせて正確に記録することができるライフログ記録システム及びライフログ記録方法に関する。
【背景技術】
【０００２】
近年、人体の腕等に装着し、内蔵した動きを３Ｄで感知する三軸加速度センサ（モーションセンサ）を使用して、歩数・移動距離・休憩／活動時間などを記録するブレスレット型のライフログ端末が普及しており、該ライフログ端末に記録したライフログデータをコンピュータやスマートフォンに転送し、該コンピュータやスマートフォンにインストールした管理ソフトウェアによって、利用者の睡眠時間・歩数・移動距離・休憩／活動時間の管理を行うことが行われている。
【０００３】
このライフログ記録に関する技術が記載された文献としては下記の特許文献１が挙げられ、この特許文献１には、メディア情報を取得するメディア情報取得部と、ユーザの行動を計測する行動センサと、ユーザの状態を計測する状態センサと、ユーザの環境を計測する環境センサと、前記各種センサからのセンサ情報に基づいてユーザの日常度を評価する日常度評価部と、評価処理により得られたユーザの日常度を取得されたメディア情報に関連づけてメディア情報記憶部に書き込む書き込み部とを備えることによって、ユーザの日常度をメディア情報に関連づけることを可能にする技術が記載されている。
【先行技術文献】
【特許文献】
【０００４】
【特許文献１】特開２０１０−７２８１８号公報
【発明の概要】
【発明が解決しようとする課題】
【０００５】
前述の特許文献１に記載の技術は、各種センサを使用して利用者のライフログ記録を行うことができるものの、利用者が多数のセンサを身体に取り付けなければ成らず、携帯性に欠けるという課題があり、腕等に装着するブレスレット型のライフログ端末は、モーションセンサにより睡眠や運動状態は検知することができるものの、利用者の活動は睡眠や運動以外に多種多様の生活活動があるにも係わらず、多種多様の生活活動を識別して記録することが困難であると共に、自動的に記録したライフログ記録をコンピュータにより修正することも考えられるが、この場合は修正の手間が煩雑であるという課題を招くものであった。
【０００６】
本発明の目的は、前述の従来技術による課題を解決しようとするものであり、ライフログ端末が記録したライフログデータを利用者の活動パターンに合わせて正確に記録することができるライフログ記録システム及びライフログ記録方法を提供することである。
【課題を解決するための手段】
【０００７】
前記目的を達成するため本発明は、モーションセンサのセンサ検知に基づいて利用者の複数の行動ログから成る生ライフログデータを記録するライフログ端末と、該ライフログ端末と接続され、該ライフログ端末に記録された生ライフログデータを読み取って管理するためのＰＣ管理ソフトウェアがインストールされた利用者コンピュータと、該利用者コンピュータとネットワークを介して接続され、該利用者コンピュータに記録された生ライフログデータ及びライフログ集計管理データを読み込み、該生ライフログデータ及びライフログ集計管理データを分析管理するサーバ管理ソフトウェアがインストールされたサーバと、該サーバが分析管理した利用者の行動パターンを格納する行動パターンデータベースとを備えるライフログ記録システムであって、
前記ライフログ端末が生ライフログデータをライフログ端末に記録する第１工程と、
該第１工程により記録した生ライフログデータを利用者コンピュータに転送する第２工程と、
該第２工程により転送された生ライフログデータを利用者コンピュータを用いて修正した修正ライフログデータ及び生ライフログデータをサーバにアップロードする第３工程と、
該第３工程によりアップロードされた修正ライフログデータ及び生ライフログデータをサーバ管理ソフトウェアが解析し、利用者の活動パターンを学習する第４工程と、
該第４工程により学習した活動パターンを用いて生ライフログデータを修正した修正ライフログデータを生成する第５工程と、
該第５工程により修正した修正ライフログデータを利用者コンピュータにダウンロードする第６工程とを実行することを第１の特徴とする。
【０００８】
また、本発明は、第１の特徴のライフログ記録システムにおいて、前記第６工程により利用者コンピュータにダウンロードした修正ライフログデータを利用者が利用者コンピュータを用いて再修正したとき、該再修正した再修正ライフログデータをサーバにアップロードして前記第４工程を実行することを第２の特徴とし、前記何れかの特徴のライフログ記録システムにおいて、前記第４工程により解析した学習パターンを、時刻帯と行動ログの組み合わせに基づいて学習することを第３の特徴とする。
【０００９】
更に、本発明は、モーションセンサのセンサ検知に基づいて利用者の複数の行動ログから成る生ライフログデータを記録するライフログ端末と、該ライフログ端末と接続され、該ライフログ端末に記録された生ライフログデータを読み取って管理するためのＰＣ管理ソフトウェアがインストールされた利用者コンピュータと、該利用者コンピュータとネットワークを介して接続され、該利用者コンピュータに記録された生ライフログデータ及びライフログ集計管理データを読み込み、該生ライフログデータ及びライフログ集計管理データを分析管理するサーバ管理ソフトウェアがインストールされたサーバと、該サーバが分析管理した利用者の行動パターンを格納する行動パターンデータベースとを備えるコンピュータシステムによるライフログ記録方法であって、
前記ライフログ端末が生ライフログデータをライフログ端末に記録する第１工程と、
該第１工程により記録した生ライフログデータを利用者コンピュータに転送する第２工程と、
該第２工程により転送された生ライフログデータを利用者コンピュータを用いて修正した修正ライフログデータ及び生ライフログデータをサーバにアップロードする第３工程と、
該第３工程によりアップロードされた修正ライフログデータ及び生ライフログデータをサーバ管理ソフトウェアが解析し、利用者の活動パターンを学習する第４工程と、
該第４工程により学習した活動パターンを用いて生ライフログデータを修正した修正ライフログデータを生成する第５工程と、
該第５工程により修正した修正ライフログデータを利用者コンピュータにダウンロードする第６工程とを実行することを第４の特徴とする。
【００１０】
また、本発明は、第４の特徴のライフログ記録方法において、前記第６工程により利用者コンピュータにダウンロードした修正ライフログデータを利用者が利用者コンピュータを用いて再修正したとき、該再修正した再修正ライフログデータをサーバにアップロードして前記第４工程を実行することを第５の特徴とし、前記何れかの特徴のライフログ記録方法において、前記第４工程により解析した学習パターンを、時刻帯と行動ログの組み合わせに基づいて学習することを第６の特徴とする。
【発明の効果】
【００１１】
本発明によるライフログ記録システム及びライフログ記録方法は、利用者が実際の活動により生ライフログデータを修正した修正ライフログデータ及び生ライフログデータに基づいて利用者の行動パターンを学習し、該学習した行動パターンにより修正した修正ライフログデータを利用者コンピュータにダウンロードすることを繰り返すことによって、ライフログ端末が記録したライフログデータを利用者の活動パターンに合わせて正確に記録することができる。
【図面の簡単な説明】
【００１２】
【図１】本発明の実施形態によるライフログ記録システムを説明するための図。
【図２】本発明の実施形態によるライフログ記録を示す図。
【図３】本発明の実施形態によるライフログ記録方法の処理フロー図。
【発明を実施するための形態】
【００１３】
以下、本発明によるライフログ記録方法を適用したライフログ記録システムの一実施形態を図面を参照して詳細に説明する。
【００１４】
本実施形態によるライフログ記録システムは、図１に示す如く、モーションセンサやＧＰＳセンサ等を搭載して利用者１０の動きによる各種センサ検知に基づいて利用者の生ライフログデータを記録するライフログ端末２０と、該ライフログ端末２０と無線又は有線等の接続手段２１により接続され、ライフログ端末２０に記録された生ライフログデータを読み取って集計管理するためのＰＣ管理ソフトウェアがインストールされたコンピュータ３０と、該コンピュータ３０とネットワーク４０を介して接続され、該コンピュータ３０に記録された生ライフログデータ及びライフログ集計管理データを読み込み、該生ライフログデータ及びライフログ集計管理データを分析管理するサーバ管理ソフトウェアがインストールされたサーバ５０と、該サーバ５０が分析管理した利用者の行動パターンを格納する行動パターンデータベース５１とを備える。
【００１５】
ここで、本実施形態によるライフログ記録システムを使用する利用者１０の平日行動パターンを説明すると、図２（ａ）に示す如く、この利用者１０は、概略、午前中は勤務先に電車を用いて出勤後にデスクワークを行い、昼食に外出した後に顧客等を訪問し、顧客先で見学・会議・懇談会を行ってから自宅へ直帰する平日行動パターンを想定する。この具体的な行動パターンは、朝６時過ぎに起床してから、トイレ、洗面（ライフログ端末２０非装着）、食事、出勤準備、徒歩、電車出勤、徒歩、出社してからデスクワーク、１２時過ぎから徒歩で外出、昼食、顧客への電車移動、訪問先見学、会議、会食を伴う懇談会、徒歩、帰宅のための電車移動、自宅への徒歩、テレビ鑑賞等、０時過ぎに睡眠とする。尚、実際には、更に詳細な行動を伴うものであるが、本実施形態においては理解を容易にするために詳細は省略しており、利用者の個々の各行動を行動ログと呼ぶ。
【００１６】
このように利用者の行動パターンが図２（ａ）に示す如く多種多様な行動ログであっても、ライフログ端末２０においては、モーションセンサやＧＰＳセンサ等の人体の腕の動きやＧＰＳによる場所移動のセンサ情報しか利用していないため、ライフログ端末２０に記録される生ライフログデータは、図２（ｂ）に示す如く、睡眠・徒歩・電車移動は正確に記録されるものの、静止状態となる「トイレ」が「Ｂ安静」、手のみを主に動かす「食事」が「Ｆデスクワーク」、衣服装着等の出勤準備が「Ｂ軽作業」、「昼食」「会議」「懇談会」が「Ｆデスクワーク」、「訪問先見学」が「Ｄ徒歩」として検知され、利用者１０の実際の行動パターンを反映したライフログデータとはならない可能性がある。
【００１７】
このため本実施形態によるライフログ記録システムは、利用者１０の実際の行動パターンを反映したライフログデータを作成するため、図３に示す如く、利用者１０の一日の行動により図２（ｂ）に示す生ライフログデータをライフログ端末２０に記録するステップＳ３０１と、該ステップＳ３０１により記録した生ライフログデータを利用者１０の操作によってコンピュータ３０に転送するステップＳ３０２と、該コンピュータ３０が転送された生ライフログデータを利用者がＰＣ管理ソフトウェアを使用して実際の行動パターン（図２（ａ））に従って修正、例えば「Ｂ安静」を「トイレ」に修正、該「トイレ」後の「Ｆデスクワーク」を「食事」、該「食事」後の「Ｂ軽作業」を「出勤準備」、その他「Ｆデスクワーク」を「昼食」「会議」「懇談会」に内容修正するステップＳ３０３と、該ステップ３０３により修正した修正ライフログデータ及び生ライフログデータをサーバ５０にアップデートするステップＳ３０４と、該アップデートされた修正ライフログデータ及び生ライフログデータをサーバ５０のサーバ管理ソフトウェアが修正ライフログデータ及び生ライフログデータに基づいて利用者の行動パターンを学習するステップＳ３０５とを実行する。
【００１８】
この行動パターンの学習とは、例えば、行動ログが、（１）「起床」直後の「Ｂ安静」が「トイレ」、（２）「起床」後所定時間内の「Ｆデスクワーク」が「食事」、（３）昼の時刻帯の「Ｆデスクワーク」が「昼食」、（４）午後の「電車移動」後の「Ｄ徒歩」が「訪問先見学」、（５）午後の「昼食」及び「電車移動」後の「Ｆデスクワーク」が「会議」又は「懇談会」である等を学習する機能である。なお、前記ステップＳ３０３による利用者１０のライフログデータの修正の際、手入力によるコメントや写真（例えば「＊＊打ち合わせ会議」、「＊＊氏との会食」等の文字データや会食時に料理を撮影した写真データ）等の付随データを登録しておき、サーバ５０のサーバ管理ソフトウェアがこれら文字データ及び写真データを解析し、前記行動ログと関連付けることによって前記行動パターンを学習するように構成しても良い。
【００１９】
続いて、本実施形態によるライフログ記録システムは、前記ステップＳ３０５により学習した学習パターンに基づいて生ライフログデータを修正した修正ライフログデータを生成するステップＳ３０６と、前記ステップＳ３０５により学習した行動パターン及びステップＳ３０６により修正した修正ライフログデータを行動パターンデータベース５１に記録するステップＳ３０７と、該ステップＳ３０７により記録した行動パターン及び修正ライフログデータをネットワークを介してコンピュータ３０にダウンロードするステップＳ３０８と、該ステップＳ３０８によりダウンロードした修正ライフログデータを利用者１０がコンピュータ３０を用いて確認し、必要なら修正ライフログデータを更に再修正するステップＳ３０９と、該ステップＳ３０９による再修正があるか否かを判定し、修正有りと判定したときに前記ステップ３０５に戻って再度の活動パターンの学習に戻り、修正無しと判定したときにステップＳ３０１に戻って次日等のライフログデータの記録に戻るステップＳ３１１とを実行するように動作する。
【００２０】
このように本ライフログ記録システムは、ライフログ端末２０に記録した生ライフログデータを利用者１０が修正したときに該修正ライフログデータ及び生ライフログデータをサーバ５０に転送し、該サーバ５０のサーバ管理ソフトウェアが修正ライフログデータ及び生ライフログデータの差異及び必要なら前記付随データを使用して利用者個人の活動パターンを解析し、この解析した活動パターンを用いて次の生ライフログデータを修正した修正ライフログデータをコンピュータ３０にダウンロードするため、利用者１０は当初の学習を行った後においてはライフログデータの修正が少なくなり、利用者の活動パターンに合わせて正確にコンピュータ３０に記録することができる。
【００２１】
尚、前述の実施形態においては、生ライフログデータの活動パターンに基づくデータ修正をサーバ５０側で行う例を説明したが、本発明はこれに限られるものではなく、コンピュータ３０のＰＣ管理ソフトウェアがサーバ５０側で解析した活動パターンを用いて生ライフログデータを修正することや、ＰＣ管理ソフトウェア自体が活動パターンの解析及び生ライフログデータの修正を行うように構成しても良い。
【符号の説明】
【００２２】
１０  利用者、２０  ライフログ端末、２１  接続手段、３０  コンピュータ、
４０  ネットワーク、５０  サーバ、５１  行動パターンデータベース
【図２】
2015043173.tif 000003
【図３】
2015043173.tif 000004
【図１】
2015043173.tif 000005